(57)【要約】      （修正有）【課題】ガイドレール体に被覆した樹脂シートの磨耗及び剥離を防止することができ、耐久性及び意匠性の向上が図れる間仕切り戸案内装置を提供する。【解決手段】戸体２の下部の案内装置６は、床面３上に固定されるガイドレール体１４と、戸体２の下端に設けられガイドレール体１４に摺動自在に案内される被案内体１６とを有し、前記ガイドレール体１４は、床面３上に設置される設置板部１８と、該設置板部１８上に形成されたガイド溝１５と、該ガイド溝１５の両側上縁部から両側方へ延出された側板部１９とを有する扁平な金属形材からなり、前記ガイドレール体１４の上面から両側板部１９の下面にかけて樹脂シート３１を被覆し、前記ガイド溝１５の両側上縁部近辺３２を含むガイド溝部分の樹脂シート３１ａを切除するために該両側上縁部近辺３２と側板部１９の間に長手方向に沿って刃体３３を移動させる溝部３４を設けている。【選択図】図５
2007309056.tif 000002
【特許請求の範囲】
【請求項１】
スライド開閉可能な間仕切り用の戸体と、該戸体の開閉領域を床面との間で区画する開口枠と、戸体の上端と下端を案内する上下の案内装置と、を備え、
下部の案内装置は、床面上に固定されるガイドレール体と、戸体の下端に設けられガイドレール体に摺動自在に案内される被案内体と、を有し、
前記ガイドレール体は、床面上に設置される設置板部と、該設置板部上に形成されたガイド溝と、該ガイド溝の両側上縁部から両側方へ延出された側板部と、を有する扁平な金属形材からなり、
前記ガイドレール体の上面から両側板部の下面にかけて樹脂シートを被覆し、前記ガイド溝の両側上縁部近辺を含むガイド溝部分の樹脂シートを切除するために該両側上縁部近辺と側板部の間に長手方向に沿って刃体を移動させる溝部を設けたことを特徴とする可動間仕切り装置。
【発明の詳細な説明】
【技術分野】
【０００１】
本発明は、可動間仕切り装置に係り、特に床面に設置されるフラットな金属形材製のガイドレール体に樹脂シートをラッピングする技術に関するものである。
【背景技術】
【０００２】
室内空間を開閉可能に間仕切りする可動間仕切り装置としては、スライド開閉可能な間仕切り用の戸体と、該戸体の開閉領域を床面との間で区画する開口枠と、戸体の上端と下端を案内する上下の案内装置とを備えたものがあり、その下部の案内装置としては、特許文献１に記載されているもの（開閉体案内装置）が知られている。この案内装置は、設置面上に固定されるガイドレール体と、開閉体の下端部に設けられ前記ガイドレール体に案内されるガイドローラを有する案内体（被案内体）とを具備している。前記ガイドレール体は、前記設置面上に設置される設置板部と、この設置板部の相対する両側縁に上方に向かって一体に突設された突縁部と、この両側の突縁部の上端部に互いに離間対向して一体に突設され前記ガイドローラを挿入する挿入口を形成したガイド突条部と、を有して偏平状に形成されている。
【０００３】
前記案内体は、前記開閉体の下端部に埋設された上下方向のソケットと、このソケットに上下動自在に設けられ常時下方に向かって付勢されたシャフトと、前記ソケットの下端面から突出された前記シャフトの下端部に回転自在に設けられた前記ガイドローラと、を有している。前記ガイドローラは、前記ガイドレール体の両側の突縁部の上端面に係合する大径係合部と、この大径係合部の下部に形成され前記ガイドレール体の両側のガイド突条部間に係合しこれらガイド突条部間および前記大径係合部より小径の小径係合部と、この小径係合部の下部に形成され前記開閉体の引き上げ時に前記ガイドレール体のガイド突条部に係合する環状凹部と、を有している。
【０００４】
前記案内装置によれば、開閉体の開閉移動時に開閉体が前後方向に引っ張られる力により引上げられて傾動したときに、この開閉体の下端部のガイドローラの小径係合部がガイドレール体のガイド突条部から外れても、この小径係合部に代わってガイドローラの環状凹部がガイドレール体のガイド突条部に係合し、ガイドローラがガイドレール体から外れるのを防止できる。また、ガイドレール体は偏平状に形成され、このガイドレール体の高さが低いことにより、このガイドレール体が歩行や車椅子の走行の障害になるのを防止でき、バリアフリー性の向上が図れる。
【０００５】
【特許文献１】特許第３６９９５８３号公報
【発明の開示】
【発明が解決しようとする課題】
【０００６】
ところで、前記可動間仕切り装置においては、下部の案内装置におけるガイドレール体が金属形材例えばアルミ押出形材からなっている場合、木質系の床面に対して金属色のガイドレール体が目立つため、違和感があり、見栄えも良くない。この問題を解消するために、ガイドレール体の表面にこれを包むように樹脂シートを被覆（ラッピング）することが考えられる。
【０００７】
しかしながら、ガイドレール体の表面全体に樹脂シートを被覆してしまうと、被案内体ないしガイドローラが摺動する部分の樹脂シートが磨耗し、剥離するおそれがあり、耐久性や意匠性が損なわれてしまう。なお、樹脂シートを被覆した分だけガイドレール体の床面からの高さが増大するため、バリアフリー性が損なわれるおそれもある。
【０００８】
本発明は、前述した事情を考慮してなされたものであり、ガイドレール体に被覆した樹脂シートの磨耗及び剥離を防止することができ、耐久性及び意匠性の向上が図れる可動間仕切り装置を提供することを目的とする。
【課題を解決するための手段】
【０００９】
前記目的を達成するために、本発明は、スライド開閉可能な間仕切り用の戸体と、該戸体の開閉領域を床面との間で区画する開口枠と、戸体の上端と下端を案内する上下の案内装置と、を備え、下部の案内装置は、床面上に固定されるガイドレール体と、戸体の下端に設けられガイドレール体に摺動自在に案内される被案内体と、を有し、前記ガイドレール体は、床面上に設置される設置板部と、該設置板部上に形成されたガイド溝と、該ガイド溝の両側上縁部から両側方へ延出された側板部と、を有する扁平な金属形材からなり、前記ガイドレール体の上面から両側板部の下面にかけて樹脂シートを被覆し、前記ガイド溝の両側上縁部近辺を含むガイド溝部分の樹脂シートを切除するために該両側上縁部近辺と側板部の間に長手方向に沿って刃体を移動させる溝部を設けたことを特徴とする。
【発明の効果】
【００１０】
本発明によれば、スライド開閉可能な間仕切り用の戸体と、該戸体の開閉領域を床面との間で区画する開口枠と、戸体の上端と下端を案内する上下の案内装置と、を備え、下部の案内装置は、床面上に固定されるガイドレール体と、戸体の下端に設けられガイドレール体に摺動自在に案内される被案内体と、を有し、前記ガイドレール体は、床面上に設置される設置板部と、該設置板部上に形成されたガイド溝と、該ガイド溝の両側上縁部から両側方へ延出された側板部と、を有する扁平な金属形材からなり、前記ガイドレール体の上面から両側板部の下面にかけて樹脂シートを被覆し、前記ガイド溝の両側上縁部近辺を含むガイド溝部分の樹脂シートを切除するために該両側上縁部近辺と側板部の間に長手方向に沿って刃体を移動させる溝部を設けているため、被案内体と干渉する部分の樹脂シートを容易に切除することができ、ガイドレール体に被覆した樹脂シートの被案内体の摺動による磨耗及び剥離を防止することができ、耐久性及び意匠性の向上が図れる。
【発明を実施するための最良の形態】
【００１１】
以下に、本発明を実施するための最良の形態を添付図面に基いて詳述する。図１は本発明の実施の形態である可動間仕切り装置を概略的に示す図で、（ａ）は縦断面図、（ｂ）は横断面図、図２は図１（ａ）のＡ部の案内装置の構造を説明する拡大断面図、図３はガイドレール体の拡大断面図である。
【００１２】
図１において、１は室内空間を開閉可能に間仕切りする可動間仕切り装置で、この可動間仕切り装置１は、スライド開閉可能な間仕切り用の戸体（開閉体）２と、この戸体２の開閉領域を床面３との間で区画する開口枠４と、戸体２の上端部と下端部を案内する上下の案内装置５，６とを備えている。前記開口枠４は、左右両側の縦枠４ａ，４ｂと、両縦枠４ａ，４ｂの上端部間に横架された上枠４ｃと、を備えている。
【００１３】
本実施の形態は、片引き１枚戸の場合であり、戸体２の開放時の収納側である一方の縦枠４ｂが、他方の縦枠４ａの幅よりも幅の小さい小縦枠４ｂ１と、開閉方向略中間位置に配置された中縦枠４ｂ２とから構成されている。一方の縦枠４ａと他方の小縦枠４ｂ１との間に１枚の戸体２がスライド開閉可能に設けられている。小縦枠４ｂ１と中縦枠４ｂ２の間には巾木７が設けられている。縦枠４ａと小縦枠４ｂ１の対向面には戸当り部材８がそれぞれ設けられ、中縦枠４ｂ２には閉鎖位置にある戸体２との間を塞ぐためのモヘヤ９が設けられている。
【００１４】
上部の案内装置５は、上枠４ｃに固定された上レール１０と、戸体２の上端部に設けられ上レール１０に案内される上部の被案内体である吊りローラ１１と、を有している。戸体２の左右の上端部には上下方向のソケット１２が埋設され、各ソケット１２に吊り軸１３の基端部が軸回りに回動可能に保持されており、この吊り軸１３の上端部に一対の吊りローラ１１が回転可能に取付けられている。上レール１０は、吊りローラ１１を走行可能に支持している。
【００１５】
下部の案内装置６は、床面３上に固定された下レールであるガイドレール体１４と、戸体２の下端部に設けられガイドレール体１４のガイド溝１５に沿って摺動可能に案内される被案内体１６と、を備えている。該被案内体１６は先端に垂直軸回りに回転可能なガイドローラ１７を有している。前記ガイドレール体１４は、図２ないし図３に示すように、床面３上に設置される設置板部１８と、該設置板部１８上に形成されたガイド溝１５と、該ガイド溝１５の両側上縁部から両側方へ延出された側板部１９と、を有する扁平（フラット）な金属形材例えばアルミ押出形材からなっている。ガイドレール体１４の厚さ（高さ）ｔは、意匠性及びバリアフリー性を考慮すると３ｍｍ以内例えば２．８ｍｍ程度が好ましい。
【００１６】
前記設置板部１８にはガイド溝１５を形成すべく相対する両側縁に上方に向って突縁部２０が一体に突設され、両側の突縁部２０の上縁部すなわちガイド溝１５の上縁部には互いに離間対向してガイド突条部２１が一体に突設されている。両ガイド突条部２１間にガイドローラ１７を挿入する挿入口２２が形成されている。前記側板部１９は、ガイド溝１５の両側上縁部から両側方へ水平に延出された水平部２３と、この水平部２３の先端から床面３に向って傾斜した傾斜部２４とを有していることが意匠的にも或いはバリアフリー性から言っても好ましい。前記水平部２３と床面３との間には、空間部２５が設けられており、設置板部１８と傾斜部２４の下面が床面３上に当接することが好ましい。
【００１７】
前記被案内体１６は、前記戸体２の下端部に埋設された上下方向のソケット２６と、該ソケット２６に上下動自在に設けられ図示しないコイルバネにより常時下方に向かって付勢されたシャフト２７と、前記ソケット２６の下端面から突出された前記シャフト２７の下端部に回転自在に設けられた前記ガイドローラ１７と、を有している。前記ソケット２６は戸体２の左右の下端部に埋設されている。ガイドローラ１７は合成樹脂により形成されている。
【００１８】
前記ガイドローラ１７は、前記ガイドレール体１４の両側の突縁部２０の上端面に係合（当接）する大径係合部２８と、この大径係合部２８の下部に形成され前記ガイドレール体１４の両側のガイド突条部２１間に係合しこれらガイド突条部２１間および前記大径係合部２８より小径の小径係合部２９と、この小径係合部２９の下部に形成され前記戸体２の引き上げ時に前記ガイドレール体１４のガイド突条部２１に係合する環状凹部３０と、を有している。これにより、戸体２の開閉移動時に戸体２が前後方向に引っ張られる力により引上げられて傾動したときに、この戸体２の下端部のガイドローラ１７の小径係合部２９がガイドレール体１４のガイド突条部２１から外れても、この小径係合部２９に代わってガイドローラ１７の環状凹部３０がガイドレール体１４のガイド突条部２１に係合し、ガイドローラ１７がガイドレール体１４から外れるのを防止できるようになっている。
【００１９】
金属色（銀色）のガイドレール体１４を木質系の床面３と馴染む色彩にして意匠性の向上を図るために、前記ガイドレール体１４の上面から両側板部１９の下面にかけて樹脂シート３１が被覆（ラッピング）されている。樹脂シート３１としては、例えばポリプロピレン製やポリエチレン製等のシート（フィルム）が用いられる。樹脂シート３１は、着色樹脂シートからなり、木質系の色彩（黄色、茶色、こげ茶色等）が施されている。樹脂シート３１の厚さは０．２ｍｍ以内例えば０．１２±０．０３ｍｍとされている。
【００２０】
前記ガイドローラ１７の摺動に邪魔になり、且つガイドローラ１７の摺動により磨耗、剥離する恐れのある樹脂シート３１の不要部分すなわち前記ガイド溝１５の両側上縁部近辺３２を含むガイド溝部分の樹脂シート３１ａを切除するためにガイド溝１５の両側上縁部近辺３２と側板部１９の間に長手方向に沿って刃体（カッター）３３を移動させる溝部３４が設けられている。溝部３４としては、Ｖ溝が好ましい。溝部３４の幅ｗ及び深さは、それぞれ１ｍｍ程度が好ましい。刃体３３は溝部３４に沿って案内されてガイドレール体１４に対して相対的に移動するようになっていてもよい。
【００２１】
前記ガイドレール体１４における樹脂シート３１を切除する部分については樹脂シートによる厚さ上の問題は生じないが、側板部１９においては上下両面に樹脂シート３１がラッピングされるため、ガイドレール体１４の厚さの増大を招く問題がある。この問題を解消するために、樹脂シート３１の厚さを考慮して側板部１９の上下両面がそれぞれ所定の厚さｔａ例えば０．２ｍｍだけ削除されている。すなわち、上記溝３４部から先の水平部２３の上面はガイド溝１５の上縁部近辺３２の高さから所定の寸法ｔａだけ低くされ、傾斜部２４の下面が設置板部１８の下面から所定の寸法ｔａだけ高く設計されている。これにより、樹脂シート３１をラッピングすることによるガイドレール体１４の厚さの増大を抑制することができ、バリアフリー性の向上が図れる。
【００２２】
前記ガイドレール体１４においては、前記溝部３４を設けることによる強度の低下を防止するために、溝部３４と対応する下面部（水平部２３の下面における溝部３４と対応する部分）に肉厚部３５が設けられていることが好ましい。前記ガイドレール体１４を床面３上に敷設ないし張り付け固定するために、設置板部１８には、固着具例えば木ネジで固定するための孔部（図示省略）が長手方向に適宜間隔で設けられている。
【００２３】
図４は樹脂シートの被覆工程を概略的に示す説明図、図５はガイドレール体における樹脂シートの不要箇所を切断する工程を概略的に示す説明図である。図４において、３６はガイドレール体１４に樹脂シート３１を自動でラッピングする製造ラインであり、この製造ライン３６は、ガイドレール体１４をその長手方向に沿って載置して順次連続的に搬送するコンベヤ３７と、該コンベヤ３７の上方に設けられ、樹脂シート３１を巻き取った樹脂シートロール３８を回転可能に支持し、樹脂シート３１を巻き出して連続的に供給する樹脂シート供給部３９と、その樹脂シート３１に接着剤を塗布する接着剤塗布部４０と、その樹脂シート３１をガイドレール体１４の上面から両側板部１９の下面にかけてその先端側から連続的にラッピングすべく押圧するローラ部４１と、ラッピングされた樹脂シート３１の不要部分を切除するためにガイドレール体１４の溝部３４に沿って相対的に移動され樹脂シート３１を切断する刃体（カッター）３３と、を備えている。
【００２４】
この場合、刃体３３が溝部３４に位置される状態でコンベヤ３７の搬送ライン上方の所定位置に設置されているため、固定の刃体３３に対してガイドレール体１４が搬送方向に移動されることにより樹脂シート３１を溝部３４に沿って切断することができる。切断された樹脂シート３１の不要部分３１ａは手動又は自動でガイドレール体１４の上面から除去される。なお、順次連続的に搬送されるガイドレール体１４間の樹脂シートは図示しない別のカッターで切断される。
【００２５】
以上の構成からなる可動間仕切り装置１においては、スライド開閉可能な間仕切り用の戸体２と、該戸体２の開閉領域を床面３との間で区画する開口枠４と、戸体２の上端と下端を案内する上下の案内装置５，６と、を備え、下部の案内装置６は、床面３上に固定されるガイドレール体１４と、戸体２の下端に設けられガイドレール体１４に摺動自在に案内される被案内体１６と、を有し、前記ガイドレール体１４は、床面３上に設置される設置板部１８と、該設置板部１８上に形成されたガイド溝１５と、該ガイド溝１５の両側上縁部から両側方へ延出された側板部１９と、を有する扁平な金属形材例えばアルミ押出形材からなり、前記ガイドレール体１４の上面から両側板部１９の下面にかけて樹脂シート３１を被覆し、前記ガイド溝１５の両側上縁部近辺３２を含むガイド溝部分の樹脂シート（不要部分）３１ａを切除するために該両側上縁部近辺３２と側板部１９の間に長手方向に沿って刃体３３を相対的に移動させる溝部３４を設けている。そのため、被案内体１６と干渉する部分の樹脂シート３１ａを容易に切除することができ、ガイドレール体１４に被覆した樹脂シート３１の被案内体１６の摺動による磨耗及び剥離を防止することができ、耐久性及び意匠性の向上が図れる。
【００２６】
図６は本発明の他の実施の形態である可動間仕切り装置を概略的に示す図で、（ａ）は縦断面図、（ｂ）は横断面図、図７は図６（ａ）のＢ部のガイドレール体の拡大断面図である。本実施の形態において、前記実施の形態と同一部分は同一符号を付して説明を省略する。本実施の形態は、引違い２枚戸の場合であり、左右の縦枠４ａ，４ｂは同じ幅のものが用いられている。上レール１０は２枚の戸体２に共用するために幅広に形成され、各戸体２の吊りローラ１１をガイドするガイド部１０ａを２列平行に有している。また、下レールであるガイドレール体１４も、２枚の戸体２に共用するために幅広に形成され、各戸体２の被案内体１６に対応するガイド溝１５を２列平行に有している。この場合、両ガイド溝１５間には水平の連結板部４２が設けられ、連結板部４２の下面には床面３から支持される複数の補強リブ４３が設けられている。この連結板部４２とガイド溝１５の上縁部近辺３２との間に長手方向に沿って刃体３３を移動させる溝部３４が設けられている。本実施の形態の可動間仕切り装置１においても前記実施の形態と同様の効果を奏することができる。
【００２７】
図８はガイドレール体の他の例を示す拡大断面図である。本例のガイドレール体１４は、３枚の戸体に共用するために幅広に形成され、各戸体の被案内体に対応するガイド溝１５を３列平行に有している。図９はガイドレール体の他の例を示す拡大断面図である。本例のガイドレール体１４は、クローゼット用に形成されたものであり、正面側の側板部１９が水平部２３を有する長目に形成され、背面側の側板部１９が水平部を有しない傾斜部２４のみで短目に形成されている。
【００２８】
以上、本発明の実施の形態を図面により詳述してきたが、本発明は前記実施の形態に限定されるものではなく、本発明の要旨を逸脱しない範囲での種々の設計変更が可能である。例えば、本発明が適用される戸体の形式としては、引分戸や折れ戸等であってもよい。折れ戸の場合、被案内体はピボット軸となる。
【図面の簡単な説明】
【００２９】
【図１】本発明の実施の形態である可動間仕切り装置を概略的に示す図で、（ａ）は縦断面図、（ｂ）は横断面図である。
【図２】図１（ａ）のＡ部の案内装置の構造を説明する拡大断面図である。
【図３】ガイドレール体の拡大断面図である。
【図４】樹脂シートの被覆工程を概略的に示す説明図である。
【図５】ガイドレール体における樹脂シートの不要箇所を切断する工程を概略的に示す説明図である。
【図６】本発明の他の実施の形態である可動間仕切り装置を概略的に示す図で、（ａ）は縦断面図、（ｂ）は横断面図である。
【図７】図６（ａ）のＢ部のガイドレール体の拡大断面図である。
【図８】ガイドレール体の他の例を示す拡大断面図である。
【図９】ガイドレール体の他の例を示す拡大断面図である。
【符号の説明】
【００３０】
１  可動間仕切り装置
２  戸体
３  床面
４  開口枠
１４  ガイドレール体
１５  ガイド溝
１６  被案内体
１８  設置板部
１９  側板部
３１  樹脂シート
３２  両側上縁部近辺
３３  刃体
３４  溝部
【図１】
2007309056.tif 000003
【図２】
2007309056.tif 000004
【図３】
2007309056.tif 000005
【図４】
2007309056.tif 000006
【図５】
2007309056.tif 000007
【図６】
2007309056.tif 000008
【図７】
2007309056.tif 000009
【図８】
2007309056.tif 000010
【図９】
2007309056.tif 000011